(57)【要約】【課題】多数の電話利用者が迷惑電話への応答を自動的に拒否できるようにする。【解決手段】電話機１０から、迷惑電話のリストをダウンロードする期間、迷惑電話の種別のリストの選択を含むスケジュール情報をネットワーク３０を介して電話データベース装置２０に送信する。電話データベース装置２０は、スケジュール情報をデータベース部２０２に格納し、スケジュール情報のダウンロードする期間になるごとに、ネットワーク３０を介し迷惑電話のリストを電話機１０に送信する。電話機１０は、迷惑電話のリストを内部の記憶媒体１０１に格納し、電話の着信を検出すると、着信した電話番号と迷惑電話のリストに含まれる電話番号とを比較照合し、一致すると、応答拒否の処理を実施する。【選択図】　　　図１
2004112435.tif 000002
【特許請求の範囲】
【請求項１】
ネットワークを介し、迷惑電話のリストをダウンロードし、着信した電話の電話番号と、ダウンロードした迷惑電話のリストに登録されている電話番号とを比較照合し、一致していれば、応答するかどうかの事前の設定にしたがい着信した電話への応答を拒否する１以上の電話機を有することを特徴とする電話応答拒否システム。
【請求項２】
ネットワークを介し、迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否する１以上の電話機を有することを特徴とする電話応答拒否システム。
【請求項３】
スケジュール画面を表示し、入力されたダウンロード期間、要求リスト種別を含むスケジュール情報をネットワークを介して送信し、前記ネットワークを介し、送信したスケジュール情報に基づく迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否する１以上の電話機を有することを特徴とする電話応答拒否システム。
【請求項４】
スケジュール画面を表示し、入力されたダウンロード期間、要求リスト種別を含むスケジュール情報をネットワークを介して送信し、前記ネットワークを介し、送信したスケジュール情報に基づく迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否し、迷惑電話登録画面を表示し入力された迷惑電話リスト種別情報、迷惑電話番号をともなう迷惑電話登録要求を前記ネットワークを介し送信する１以上の電話機を有することを特徴とする電話応答拒否システム。
【請求項５】
スケジュール画面を表示し、入力されたダウンロード期間、要求リスト種別を含むスケジュール情報をネットワークを介して送信し、前記ネットワークを介し、送信したスケジュール情報に基づく迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否し、迷惑電話登録画面を表示し入力された迷惑電話リスト種別情報、迷惑電話番号をともなう迷惑電話登録要求を前記ネットワークを介し送信する１以上の電話機と、
前記電話機からのスケジュール情報を受信し、データベース部に格納し、前記データベース部に格納されたスケジュール情報に基づいて定期的に迷惑電話のリストを前記ネットワークを介し前記電話機に送信し、前記電話機からの迷惑電話登録要求を受信すると、前記データベース部の対応する迷惑電話にリストに登録する電話データベース装置とを有することを特徴とする電話応答拒否システム。
【請求項６】
ネットワークを介し、迷惑電話のリストをダウンロードし、着信した電話の電話番号と、ダウンロードした迷惑電話のリストに登録されている電話番号とを比較照合し、一致していれば、応答するかどうかの事前の設定にしたがい着信した電話への応答を拒否する電話手順を含むことを特徴とする電話応答拒否方法。
【請求項７】
ネットワークを介し、迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否する電話手順を含むことを特徴とする電話応答拒否方法。
【請求項８】
スケジュール画面を表示し、入力されたダウンロード期間、要求リスト種別を含むスケジュール情報をネットワークを介して送信し、前記ネットワークを介し、送信したスケジュール情報に基づく迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否する電話手順を含むことを特徴とする電話応答拒否方法。
【請求項９】
スケジュール画面を表示し、入力されたダウンロード期間、要求リスト種別を含むスケジュール情報をネットワークを介して送信し、前記ネットワークを介し、送信したスケジュール情報に基づく迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否し、迷惑電話登録画面を表示し入力された迷惑電話リスト種別情報、迷惑電話番号をともなう迷惑電話登録要求を前記ネットワークを介し送信する電話手順を含むことを特徴とする電話応答拒否方法。
【請求項１０】
スケジュール画面を表示し、入力されたダウンロード期間、要求リスト種別を含むスケジュール情報をネットワークを介して送信し、前記ネットワークを介し、送信したスケジュール情報に基づく迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否し、迷惑電話登録画面を表示し入力された迷惑電話リスト種別情報、迷惑電話番号をともなう迷惑電話登録要求を前記ネットワークを介し送信する電話手順と、
前記電話手順からのスケジュール情報を受信し、データベース部に格納し、前記データベース部に格納されたスケジュール情報に基づいて定期的に迷惑電話のリストを前記ネットワークを介し前記電話手順に送信し、前記電話手順からの迷惑電話登録要求を受信すると、前記データベース部の対応する迷惑電話にリストに登録する電話データベース手順とを含むことを特徴とする電話応答拒否方法。
【請求項１１】
ネットワークを介し、迷惑電話のリストをダウンロードし、着信した電話の電話番号と、ダウンロードした迷惑電話のリストに登録されている電話番号とを比較照合し、一致していれば、応答するかどうかの事前の設定にしたがい着信した電話への応答を拒否する電話手順をコンピュータに実行させることを特徴とする電話応答拒否プログラム。
【請求項１２】
ネットワークを介し、迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否する電話手順をコンピュータに実行させることを特徴とする電話応答拒否プログラム。
【請求項１３】
スケジュール画面を表示し、入力されたダウンロード期間、要求リスト種別を含むスケジュール情報をネットワークを介して送信し、前記ネットワークを介し、送信したスケジュール情報に基づく迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否する電話手順をコンピュータに実行させることを特徴とする電話応答拒否プログラム。
【請求項１４】
スケジュール画面を表示し、入力されたダウンロード期間、要求リスト種別を含むスケジュール情報をネットワークを介して送信し、前記ネットワークを介し、送信したスケジュール情報に基づく迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否し、迷惑電話登録画面を表示し入力された迷惑電話リスト種別情報、迷惑電話番号をともなう迷惑電話登録要求を前記ネットワークを介し送信する電話手順をコンピュータに実行させることを特徴とする電話応答拒否プログラム。
【請求項１５】
スケジュール画面を表示し、入力されたダウンロード期間、要求リスト種別を含むスケジュール情報をネットワークを介して送信し、前記ネットワークを介し、送信したスケジュール情報に基づく迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否し、迷惑電話登録画面を表示し入力された迷惑電話リスト種別情報、迷惑電話番号をともなう迷惑電話登録要求を前記ネットワークを介し送信する電話手順と、
前記電話手順からのスケジュール情報を受信し、データベース部に格納し、前記データベース部に格納されたスケジュール情報に基づいて定期的に迷惑電話のリストを前記ネットワークを介し前記電話手順に送信し、前記電話手順からの迷惑電話登録要求を受信すると、前記データベース部の対応する迷惑電話にリストに登録する電話データベース手順とをコンピュータに実行させることを特徴とする電話応答拒否プログラム。
【発明の詳細な説明】
【０００１】
【発明の属する技術分野】
本発明は、電話応答拒否システム、電話応答拒否方法、および、電話応答拒否プログラムに関し、特に、自動的に迷惑電話への応答を拒否できる電話応答拒否システム、電話応答拒否方法、および、電話応答拒否プログラムに関する。
【０００２】
【従来の技術】
現在までは、通称ワンギリ等の自動的に海外の電話番号に転送される迷惑電話番号の特定を携帯式移動電話ならびに電話機の利用者本人が行う必要があり、また、迷惑電話について、常に増加の一途をたどっている現状があった。
【０００３】
この種の問題に対応する従来技術としては、たとえば、特許文献１記載の技術がある。
【０００４】
特許文献１記載の技術は、着信拒否機能付き電話機としては、その構成要素として、呼び出し各々に伴われている発信者番号を、その呼び出しに応答、または不応答の上、必要に応じ着信拒否発信者番号として外部からのワンタッチ登録操作により登録する着信拒否発信者番号登録手段と、発信者番号を伴う呼び出しがある度に、その発信者番号を上記着信拒否発信者番号登録手段上に現に登録されている着信拒否発信者番号各々と比較した上、その着信拒否発信者番号の何れかに一致する旨の比較結果をして、着信表示手段での着信表示を抑制するとともに、呼び出しに自動的、かつ速やかに疑似応答の上、着信拒否通知、回線切断が行われるべく制御する発信者番号比較手段とを有するものである。
【０００５】
【特許文献１】
特開２０００−５９５０３号公報
【０００６】
【発明が解決しようとする課題】
上述した特許文献１記載の技術の第１の問題点は、迷惑電話としての判断が狭いことである。
【０００７】
その理由は、その電話機に過去に着信した電話番号しか迷惑電話として判断できないからである。
【０００８】
第２の問題点は、迷惑電話の最新情報が利用できないことである。
【０００９】
その理由は、ネットワーク等を介し定期的に迷惑電話のリストをダウンロードする機能をもっていないからである。
【００１０】
本発明の目的は、ネットワークと接続し、最新の迷惑電話の情報を定期的にダウンロードし、他の電話で検出された迷惑電話も応答の拒否が自動で実施できる電話機を実現することである。
【００１１】
【課題を解決するための手段】
本発明の第１の電話応答拒否システムは、ネットワークを介し、迷惑電話のリストをダウンロードし、着信した電話の電話番号と、ダウンロードした迷惑電話のリストに登録されている電話番号とを比較照合し、一致していれば、応答するかどうかの事前の設定にしたがい着信した電話への応答を拒否する１以上の電話機を有することを特徴とする。
【００１２】
本発明の第２の電話応答拒否システムは、ネットワークを介し、迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否する１以上の電話機を有することを特徴とする。
【００１３】
本発明の第３の電話応答拒否システムは、スケジュール画面を表示し、入力されたダウンロード期間、要求リスト種別を含むスケジュール情報をネットワークを介して送信し、前記ネットワークを介し、送信したスケジュール情報に基づく迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否する１以上の電話機を有することを特徴とする。
【００１４】
本発明の第４の電話応答拒否システムは、スケジュール画面を表示し、入力されたダウンロード期間、要求リスト種別を含むスケジュール情報をネットワークを介して送信し、前記ネットワークを介し、送信したスケジュール情報に基づく迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否し、迷惑電話登録画面を表示し入力された迷惑電話リスト種別情報、迷惑電話番号をともなう迷惑電話登録要求を前記ネットワークを介し送信する１以上の電話機を有することを特徴とする。
【００１５】
本発明の第５の電話応答拒否システムは、スケジュール画面を表示し、入力されたダウンロード期間、要求リスト種別を含むスケジュール情報をネットワークを介して送信し、前記ネットワークを介し、送信したスケジュール情報に基づく迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否し、迷惑電話登録画面を表示し入力された迷惑電話リスト種別情報、迷惑電話番号をともなう迷惑電話登録要求を前記ネットワークを介し送信する１以上の電話機と、前記電話機からのスケジュール情報を受信し、データベース部に格納し、前記データベース部に格納されたスケジュール情報に基づいて定期的に迷惑電話のリストを前記ネットワークを介し前記電話機に送信し、前記電話機からの迷惑電話登録要求を受信すると、前記データベース部の対応する迷惑電話にリストに登録する電話データベース装置とを有することを特徴とする。
【００１６】
本発明の第１の電話応答拒否方法は、ネットワークを介し、迷惑電話のリストをダウンロードし、着信した電話の電話番号と、ダウンロードした迷惑電話のリストに登録されている電話番号とを比較照合し、一致していれば、応答するかどうかの事前の設定にしたがい着信した電話への応答を拒否する電話手順を含むことを特徴とする。
【００１７】
本発明の第２の電話応答拒否方法は、ネットワークを介し、迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否する電話手順を含むことを特徴とする。
【００１８】
本発明の第３の電話応答拒否方法は、スケジュール画面を表示し、入力されたダウンロード期間、要求リスト種別を含むスケジュール情報をネットワークを介して送信し、前記ネットワークを介し、送信したスケジュール情報に基づく迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否する電話手順を含むことを特徴とする。
【００１９】
本発明の第４の電話応答拒否方法は、スケジュール画面を表示し、入力されたダウンロード期間、要求リスト種別を含むスケジュール情報をネットワークを介して送信し、前記ネットワークを介し、送信したスケジュール情報に基づく迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否し、迷惑電話登録画面を表示し入力された迷惑電話リスト種別情報、迷惑電話番号をともなう迷惑電話登録要求を前記ネットワークを介し送信する電話手順を含むことを特徴とする。
【００２０】
本発明の第５の電話応答拒否方法は、スケジュール画面を表示し、入力されたダウンロード期間、要求リスト種別を含むスケジュール情報をネットワークを介して送信し、前記ネットワークを介し、送信したスケジュール情報に基づく迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否し、迷惑電話登録画面を表示し入力された迷惑電話リスト種別情報、迷惑電話番号をともなう迷惑電話登録要求を前記ネットワークを介し送信する電話手順と、前記電話手順からのスケジュール情報を受信し、データベース部に格納し、前記データベース部に格納されたスケジュール情報に基づいて定期的に迷惑電話のリストを前記ネットワークを介し前記電話手順に送信し、前記電話手順からの迷惑電話登録要求を受信すると、前記データベース部の対応する迷惑電話にリストに登録する電話データベース手順とを含むことを特徴とする。
【００２１】
本発明の第１の電話応答拒否プログラムは、ネットワークを介し、迷惑電話のリストをダウンロードし、着信した電話の電話番号と、ダウンロードした迷惑電話のリストに登録されている電話番号とを比較照合し、一致していれば、応答するかどうかの事前の設定にしたがい着信した電話への応答を拒否する電話手順をコンピュータに実行させることを特徴とする。
【００２２】
本発明の第２の電話応答拒否プログラムは、ネットワークを介し、迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否する電話手順をコンピュータに実行させることを特徴とする。
【００２３】
本発明の第３の電話応答拒否プログラムは、スケジュール画面を表示し、入力されたダウンロード期間、要求リスト種別を含むスケジュール情報をネットワークを介して送信し、前記ネットワークを介し、送信したスケジュール情報に基づく迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否する電話手順をコンピュータに実行させることを特徴とする。
【００２４】
本発明の第４の電話応答拒否プログラムは、スケジュール画面を表示し、入力されたダウンロード期間、要求リスト種別を含むスケジュール情報をネットワークを介して送信し、前記ネットワークを介し、送信したスケジュール情報に基づく迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否し、迷惑電話登録画面を表示し入力された迷惑電話リスト種別情報、迷惑電話番号をともなう迷惑電話登録要求を前記ネットワークを介し送信する電話手順をコンピュータに実行させることを特徴とする。
【００２５】
本発明の第５の電話応答拒否プログラムは、スケジュール画面を表示し、入力されたダウンロード期間、要求リスト種別を含むスケジュール情報をネットワークを介して送信し、前記ネットワークを介し、送信したスケジュール情報に基づく迷惑電話のリストをダウンロードし、着信した電話の電話番号と、ダウンロードした迷惑電話のリストに登録されている電話番号とを比較照合し、一致していれば、着信履歴を表示するかどうかの事前の設定にしたがい内部に着信履歴として格納し、応答するかどうかの事前の設定にしたがい着信した電話への応答を拒否し、迷惑電話登録画面を表示し入力された迷惑電話リスト種別情報、迷惑電話番号をともなう迷惑電話登録要求を前記ネットワークを介し送信する電話手順と、前記電話手順からのスケジュール情報を受信し、データベース部に格納し、前記データベース部に格納されたスケジュール情報に基づいて定期的に迷惑電話のリストを前記ネットワークを介し前記電話手順に送信し、前記電話手順からの迷惑電話登録要求を受信すると、前記データベース部の対応する迷惑電話にリストに登録する電話データベース手順とをコンピュータに実行させることを特徴とする。
【００２６】
【発明の実施の形態】
次に、本発明の第１の実施の形態について図面を参照して詳細に説明する。
【００２７】
図１は、本発明の第１の実施の形態の構成を示すブロック図である。
【００２８】
図１を参照すると、本発明の第１の実施の形態は、コンピュータ等を内蔵する１以上の電話機１０（携帯型を含む）と、サーバ等の電話データベース装置２０と、電話機１０、電話データベース装置２０を接続するインターネット等のネットワーク３０とから構成される。電話機１０は、記憶媒体１０１を内蔵する。電話データベース装置２０は、情報を格納する記憶装置であるデータベース部２０２を備える。
【００２９】
電話データベース装置２０のデータベース部２０２は、ネットワーク３０を利用した自動着信拒否システムの利用者のアドレス（送付先）を格納しており、また、一般的に迷惑電話として考えられている悪徳勧誘セールス業者電話番号リスト、海外への自動転送を行っている等の悪戯電話番号リスト、市外局番のリスト等も格納している。
【００３０】
電話データベース装置２０は、電話機１０からの要求により、要求された一定期間毎、もしくは、送信要求の度に、要求されているデータベース部２０２内のデータをリスト化し、送信要求元の電話機１０のアドレスに対して送信をする。
【００３１】
電話機１０は、インターネットの接続機能を有しており、また、電話データベース装置２０より送信された迷惑電話のリストを保存する記憶媒体１０１、および、通話として通常使用する通話機能を有している。
【００３２】
また、電話機１０の記憶媒体１０１内に電話データベース装置２０のデータベース部２０２内のどのリストを保存するのかが電話機１０の利用者から選択でき、また、定期期間として月曜（週間毎）だけ、または、毎月１日といった期間が選択できる。また、
また、電話機１０は、着信履歴を表示でき、着信履歴を表示するかどうかの設定を利用者から記憶媒体１０１に格納可能である。さらに、迷惑電話と判断した場合に、応答を拒否するかどうかの設定も利用者により記憶媒体１０１に格納可能である。
【００３３】
また、電話機１０は、利用者からの指示により電話データベース装置２０に対し、送信要求を行うことにより、その時点でのリストの最新版を電話データベース装置２０のデータベース部２０２から取得し、内部の記憶媒体１０１に保存を行う機能を有する。
【００３４】
電話機１０の利用者の指示によらない場合においても、一定期間毎に電話データベース装置２０からネットワーク３０を介して、電話データベース装置２０のデータベース部２０２内のどのリストの自動受信を行い記憶媒体１０１に保存を行う機能を有する。
【００３５】
ネットワーク３０を介して自動受信した迷惑電話のリスト、もしくは、電話データベース装置２０のデータベース部２０２に存在しない電話番号で着信を行い、電話機１０の利用者が迷惑電話であると判断した場合には、利用者の指示により、電話機１０は電話データベース装置２０に対して、迷惑電話の種別と着信した電話番号を迷惑電話のリストにするための登録要求を発信する機能を有する。電話機１０が着信を受けた場合には、ネットワーク３０を介して取得した迷惑電話番号リストの一覧により、着信した発番号の比較照合を行う。
【００３６】
比較照合において一致した場合には、電話機１０は、予定されている応答動作の内容に従い、自動アナウンスの送信機能や、着信履歴表示、着信拒否を行う。また、一致しない場合には、電話機１０の通常動作に従う。
【００３７】
次に、本発明の第１の実施の形態の動作について図面を参照して説明する。
【００３８】
図２は、スケジュール情報の設定の動作を示すフローチャートである。
【００３９】
図７は、設定画面の内容を示す説明図である。
【００４０】
電話機１０では、利用者の指示により電話データベース装置２０に対し、設定変更を行う。図７を参照すると、設定の変更は３種あり、電話機１０に表示されるメニュー画面により、それぞれ、ダウンロード実行画面、迷惑電話登録画面、スケジュール画面が呼び出され表示され各設定が実施される。
【００４１】
図２を参照すると、電話機１０が図７のメニュー画面を表示し、利用者により設定ボタンが選択されると、電話機１０は、スケジュール画面を表示する。スケジュール画面のダウンロード期間、要求リスト種別等の設定情報が利用者により電話機１０に入力、あるいは選択され、ＯＫボタンがクリックされると、電話機１０は、ネットワーク３０を介し、電話データベース装置２０に入力、選択されたスケジュール情報を送信する（図２ステップＥ１）。図７を参照すると、たとえば、スケジュール情報のダウンロード期間は、「７日毎」が入力され、要求リスト種別は、「悪徳勧誘セールス業者、海外への自動転送電話」が選択されている。
【００４２】
電話データベース装置２０は、ネットワーク３０を介し、電話機１０からスケジュール情報を受信すると（図２ステップＩ１）、スケジュール情報を送信元を示す情報とともに、データベース部２０２に格納（登録）する。
【００４３】
次に、定期的なリストの送受信の動作に関して図面を参照して説明する。
【００４４】
図３は、定期的なリストの送受信の動作を示すフローチャートである。
【００４５】
図３を参照すると、電話データベース装置２０は、データベース部２０２に格納（登録）されたスケジュール情報に基づき、カウント処理（たとえば、何時間経過したか、何日経過したか等）を実施する（図３ステップＦ１）。スケジュール情報のダウンロード期間に達すると（図３ステップＦ２／ＹＥＳ）、スケジュール情報の要求リスト種別に対応するリストをデータベース部２０２から採取し（図３ステップＦ３）、要求リスト種別に対応するリストをネットワーク３０を介して要求元の電話機１０に送信する（図３ステップＦ４）。
【００４６】
電話機１０は、ネットワーク３０を介し電話データベース装置２０から要求リスト種別に対応するリストを受信すると（図３ステップＡ１）、内蔵する記憶媒体１０１に受信した要求リスト種別に対応するリストを格納する（図３ステップＡ２）。
【００４７】
次に、電話機１０の利用者の指示によりリストをダウンロードする場合について図面を参照して説明する。
【００４８】
図４は、電話機１０からのリストのダウンロードの動作を示すフローチャートである。
【００４９】
電話機１０に表示される図７の迷惑電話リストダウンロードボタンが利用者により選択されると、電話機１０は、リスト取得要求をネットワーク３０を介して電話データベース装置２０に送信する（図４ステップＢ１）。電話機１０は、次に図７のダウンロード実行画面を表示する（図４ステップＢ２）。
【００５０】
電話データベース装置２０は、電話機１０からネットワーク３０を介してリスト取得要求を受信すると（図４ステップＧ１）、要求元の電話機１０に対応するスケジュール情報をデータベース部２０２から読み出し（図４ステップＧ２）、読み出したスケジュール情報の要求リスト種別に対応するリストをデータベース部２０２から採取し（図４ステップＧ３）、ネットワーク３０を介し要求元の電話機１０に送信する（図４ステップＧ４）。
【００５１】
電話機１０は、ネットワーク３０を介し電話データベース装置２０から要求リスト種別に対応するリストを受信すると（図４ステップＢ３）、内蔵する記憶媒体１０１に受信した要求リスト種別に対応するリストを格納し、ダウンロード実行画面の表示を中止する（図４ステップＢ４）。
【００５２】
次に、電話機１０の利用者の指示により迷惑電話の電話番号をリストに登録する場合について図面を参照して説明する。
【００５３】
図５は、迷惑電話の電話番号をリストに登録する場合の動作を示すフローチャートである。
【００５４】
電話機１０の利用者が図７のメニュー画面の迷惑電話リスト登録ボタンを選択すると、電話機１０は、迷惑電話登録画面を表示する。利用者が、迷惑電話リスト種別から対応するリスト（たとえば、悪徳勧誘セールス）を選択し、迷惑電話番号に該当する電話番号（たとえば、０３−××××−××××）を入力して、ＯＫボタンをクリックすると、電話機１０は、ネットワーク３０を介し電話データベース装置２０に入力された情報をともなう迷惑電話登録要求を送信する（図５ステップＣ１）。
【００５５】
電話データベース装置２０は、ネットワーク３０を介し電話機１０から、迷惑電話登録要求を受信すると（図５ステップＨ１）、データベース部２０２の対応するリスト（悪徳勧誘セールスのリスト）に、該当電話番号（０３−××××−××××）を格納（登録）する（図５ステップＨ２）。
【００５６】
次に、電話機１０が迷惑電話を受信した場合の動作について図面を参照して説明する。
【００５７】
図６は、電話機１０が迷惑電話を受信した場合の動作を示すフローチャートである。
【００５８】
図６を参照すると、電話機１０が電話の着信を検出すると（図６ステップＤ１）、着信のデータ（着番号）を受信する（図６ステップＤ２）。次に、電話機１０は、記録媒体１０１から格納されている迷惑電話のリストを読み出す（図６ステップＤ３）。ここで、記憶媒体１０１には、図３、図４の動作により、迷惑電話のリストが格納されている。次に、電話機１０は、読み込みを行った迷惑電話のリストに登録されている電話番号と受信した着番号との比較照合を行い、比較結果が不一致であれば（図６ステップＤ４／不一致）、迷惑電話でないとみなし、通常動作を実施する（図６ステップＤ９）。
【００５９】
次に、読み込みを行った迷惑電話のリストに登録されている電話番号と受信した着番号との比較照合の比較結果が一致であれば（図６ステップＤ４／一致）、着信履歴を表示するかどうかの設定を調べ、着信履歴を着信履歴を表示するように設定されていれば（図６ステップＤ５／Ｙｅｓ）、受信した電話に対する着信履歴を内部に格納する（図６ステップＤ６）。
【００６０】
次に、迷惑電話と判断した場合に応答を拒否するかどうかの設定が応答を拒否しないようになっていれば（図６ステップＤ７／Ｎｏ）、通常動作を実施する（図７ステップＤ９）。迷惑電話と判断した場合に応答を拒否するかどうかの設定が応答を拒否するようになっていれば（図６ステップＤ７／Ｙｅｓ）、着信が行うように発電話元に、たとえば「ただいま電話をおつなぎすることができません」のアナウンスを送信し、着信を拒否する着信拒否の処理を実施する（図６ステップＤ８）。
【００６１】
次に、本発明の第２の実施の形態について図面を参照して詳細に説明する。
【００６２】
本発明の第２の実施の形態は、スケジュール画面を表示し、入力されたダウンロード期間、要求リスト種別を含むスケジュール情報をネットワーク３０を介して送信し（図２ステップＥ１）、ネットワーク３０を介し、送信したスケジュール情報に基づく迷惑電話のリストをダウンロードし（図３ステップＡ１）、着信した電話の電話番号と、ダウンロードした迷惑電話のリストに登録されている電話番号とを比較照合し、一致していれば（図６ステップＤ４／一致）、着信履歴を表示するかどうかの事前の設定にしたがい（図６ステップＤ５）、内部に着信履歴として格納し（図６ステップＤ６）、応答するかどうかの事前の設定にしたがい（図６ステップＤ７）、着信した電話への応答を拒否し（図６ステップＤ８）、迷惑電話登録画面を表示し入力された迷惑電話リスト種別情報、迷惑電話番号をともなう迷惑電話登録要求をネットワーク３０を介し送信する（図５ステップＣ１）電話手順と、
前記電話手順からのスケジュール情報を受信し（図２ステップＩ１）、データベース部２０２に格納し（図２ステップＩ２）、データベース部２０２に格納されたスケジュール情報に基づいて定期的に迷惑電話のリストをネットワーク３０を介し前記電話手順に送信し（図３ステップＦ５）、前記電話手順からの迷惑電話登録要求を受信すると（図５ステップＨ１）、データベース部２０２の対応する迷惑電話にリストに登録する（図５ステップＨ２）電話データベース手順とを含む方法である。
【００６３】
次に、本発明の第３の実施の形態について図面を参照して詳細に説明する。
【００６４】
本発明の第３の実施の形態は、スケジュール画面を表示し、入力されたダウンロード期間、要求リスト種別を含むスケジュール情報をネットワーク３０を介して送信し（図２ステップＥ１）、ネットワーク３０を介し、送信したスケジュール情報に基づく迷惑電話のリストをダウンロードし（図３ステップＡ１）、着信した電話の電話番号と、ダウンロードした迷惑電話のリストに登録されている電話番号とを比較照合し、一致していれば（図６ステップＤ４／一致）、着信履歴を表示するかどうかの事前の設定にしたがい（図６ステップＤ５）、内部に着信履歴として格納し（図６ステップＤ６）、応答するかどうかの事前の設定にしたがい（図６ステップＤ７）、着信した電話への応答を拒否し（図６ステップＤ８）、迷惑電話登録画面を表示し入力された迷惑電話リスト種別情報、迷惑電話番号をともなう迷惑電話登録要求をネットワーク３０を介し送信する（図５ステップＣ１）電話手順と、
前記電話手順からのスケジュール情報を受信し（図２ステップＩ１）、データベース部２０２に格納し（図２ステップＩ２）、データベース部２０２に格納されたスケジュール情報に基づいて定期的に迷惑電話のリストをネットワーク３０を介し前記電話手順に送信し（図３ステップＦ５）、前記電話手順からの迷惑電話登録要求を受信すると（図５ステップＨ１）、データベース部２０２の対応する迷惑電話にリストに登録する（図５ステップＨ２）電話データベース手順とをコンピュータ（たとえば、電話機１０、電話データベース装置２０を構成する）に実行させるプログラムである。
【００６５】
【発明の効果】
第１の効果は、迷惑電話に対して応答拒否が自動的に実施できることである。
【００６６】
その理由は、内部に保持する迷惑電話のリストと、着信した電話番号とを比較照合する手段を持つからである。
【００６７】
第２の効果は、迷惑電話の最新のリストをダウンロードできることである。
【００６８】
その理由は、自動で、定期的に迷惑電話のリストをダウンロードするからである。
【００６９】
第３の効果は、多数の電話利用者が迷惑電話への応答を拒否できることである。
【００７０】
その理由は、電話機が、ネットワークを介して、データベースから迷惑電話の電話番号を含むリストをダウンロードし、利用するからである。
【図面の簡単な説明】
【図１】本発明の第１の実施の形態の構成を示すブロック図である。
【図２】スケジュール情報の設定の動作を示すフローチャートである。
【図３】定期的なリストの送受信の動作を示すフローチャートである。
【図４】電話機からのリストのダウンロードの動作を示すフローチャートである。
【図５】迷惑電話の電話番号をリストに登録する場合の動作を示すフローチャートである。
【図６】電話機が迷惑電話を受信した場合の動作を示すフローチャートである。
【図７】設定画面の内容を示す説明図である。
【符号の説明】
１０　　電話機
２０　　電話データベース装置
３０　　ネットワーク
１０１　　記憶媒体
２０２　　データベース部
【図１】
2004112435.tif 000003
【図２】
2004112435.tif 000004
【図３】
2004112435.tif 000005
【図４】
2004112435.tif 000006
【図５】
2004112435.tif 000007
【図６】
2004112435.tif 000008
【図７】
2004112435.tif 000009